(57)【要約】      （修正有）【課題】製作プロセスが簡単で、上から下へ貫通する立体的な網目構造により、クッション本体の上下方向に十分に通気し、熱を即時に放出してクッションの快適性を高めるクッションを提供する。【解決手段】クッション１０は、クッション本体を含み、クッション本体は上層構造１０１および下層構造１０２からなる一体構造であり、上層構造１０１と下層構造１０２は、それぞれ上層構造１０１と下層構造１０２を貫通するための立体的な網目構造を有し、上層構造１０１上に位置する立体的な網目構造と下層構造１０２上に位置する立体的な網目構造が交互に配置され、下層構造１０２の上層構造１０１への支持を形成する。【選択図】図３
0003228681.tif 000002
【実用新案登録請求の範囲】
【請求項１】
クッション本体を含み、前記クッション本体は上層構造（１０１）と下層構造（１０２）からなる一体構造であり、前記上層構造（１０１）と前記下層構造（１０２）は、それぞれ前記上層構造（１０１）と前記下層構造（１０２）を貫通するための立体的な網目構造を有し、前記上層構造（１０１）上に位置する立体的な網目構造と、前記下層構造（１０２）上に位置する立体的な網目構造が交互に配置され前記下層構造（１０２）の前記上層構造（１０１）への支持を形成することを特徴とするクッション。
【請求項２】
前記立体的な網目構造の上端および下端はそれぞれ開放され、前記上層構造（１０１）に位置する前記立体的な網目構造の下端に溝構造（１０３）が設けられることを特徴とする請求項１に記載のクッション。
【請求項３】
前記溝構造（１０３）は、前記上層構造（１０１）の立体的な網目構造の底面の縁の周りに設けられ、前記溝構造（１０３）は、前記上層構造（１０１）の立体的な網目構造の底面上に前記上層構造（１０１）と前記下層構造（１０２）との交点から間隔をあけて設けられることを特徴とする請求項２に記載のクッション。
【請求項４】
前記溝構造（１０３）は「Ｖ」字形または半円弧形状であり、前記溝構造（１０３）の開放端が前記下層構造（１０２）に面していることを特徴とする請求項３に記載のクッション。
【請求項５】
前記立体的な網目構造は第１の網目（１０４）を含み、前記第１の網目（１０４）は上端と下端が開いた正六角柱構造であることを特徴とする請求項１から４のいずれか１項に記載のクッション。
【請求項６】
前記上層構造（１０１）上に位置する前記第１の網目（１０４）のそれぞれの側面上に、溝構造（１０３）が設けられることを特徴とする請求項５に記載のクッション。
【請求項７】
前記立体的な網目構造は第２の網目（１１１）を含み、前記第２の網目（１１１）は上端と下端が開いた円筒型構造が互いに交差して形成された構造であることを特徴とする請求項２から４のいずれか１項に記載のクッション。
【請求項８】
前記溝構造（１０３）は、前記上層構造（１０１）に位置する第２の網目（１１１）の底面の周方向の周りに設けられ、前記溝構造（１０３）は、前記上層構造（１０１）と前記下層構造（１０２）の交点から間隔をあけて設けられることを特徴とする請求項７に記載のクッション。
【請求項９】
前記立体的な網目構造は第３の網目（１２１）を含み、前記第３の網目（１２１）は、上端と下端が開いた正八角柱構造（１２１１）、および前記正八角柱構造（１２１１）の左側面と前側面に位置し上端と下端が開いた正四角柱構造（１２１２）を含み、前記正八角柱構造（１２１１）と前記正四角柱構造（１２１２）は一体成形されることを特徴とする請求項２から４のいずれか１項に記載のクッション。
【請求項１０】
前記溝構造（１０３）は、前記正八角柱構造（１２１１）のそれぞれの側面、および前記正四角柱構造（１２１２）のそれぞれの側面上に設けられることを特徴とする請求項９に記載のクッション。
【考案の詳細な説明】
【技術分野】
【０００１】
本考案は、日用品の技術分野に関し、特にクッションに関する。
【背景技術】
【０００２】
生活水準の向上に伴い、人々の生活の快適性に対する要求も高まっている。座り心地を良くするために、椅子にシートクッションを置くのが一般的であり、シートクッションはお尻にかかる圧力を緩和でき、座り心地を良くする。
【０００３】
本出願人は、従来技術には少なくとも以下の技術的問題があることを発見した。従来技術のシートクッションは、一般に通気性が悪く、特に暑い夏の天候の場合、通気性の悪いシートクッションに長期間座っているとお尻が蒸し暑く汗が蒸発しにくく、時間が経つと、接触している皮膚の炎症を引き起こす可能性がある。
【考案の概要】
【０００４】
本考案の目的は、従来技術におけるクッションの通気性が悪い技術的問題を解決するクッションを提供することである。本考案によって提供される様々な技術的解決策の中の好ましい技術的解決策によって生み出され得る技術的効果を、以下に詳細に説明する。
上記の目的を達成するために、本考案は、以下の技術的解決策を提供する。
【０００５】
本考案によって提供されるクッションは、クッション本体を含み、前記クッション本体は、上層構造と下層構造からなる一体構造であり、前記上層構造と前記下層構造は、それぞれ前記上層構造と前記下層構造を貫通するための立体的な網目構造を有し、前記上層構造上に位置する立体的な網目構造と、前記下層構造上に位置する立体的な網目構造が交互に配置され、前記下層構造の前記上層構造への支持を形成する。
【０００６】
好ましい実施形態によれば、前記立体的な網目構造の上端と下端はそれぞれ開放され、前記上層構造に位置する前記立体的な網目構造の下端には溝構造が設けられる。
【０００７】
好ましい実施形態によれば、前記溝構造は、前記上層構造の立体的な網目構造の底面の縁の周りに設けられ、前記溝構造は前記上層構造の立体的な網目構造の底面上に、前記上層構造と前記下層構造の交点から間隔をあけて設けられる。
【０００８】
好ましい実施形態によれば、前記溝構造は「Ｖ」字形または半円弧形状であり、且つ前記溝構造の開放端は前記下層構造に向かって設けられる。
【０００９】
好ましい実施形態によれば、前記立体的な網目構造は第１の網目を含み、前記第１の網目は上端と下端が開いた正六角柱構造である。
【００１０】
好ましい実施形態によれば、前記上層構造上に位置する前記第１の網目のそれぞれの側面上に、それぞれ溝構造が設けられる。
【００１１】
好ましい実施形態によれば、前記立体的な網目構造は第２の網目を含み、前記第２の網目は上端と下端が開いた円筒型構造が互いに交差して形成された構造である。
【００１２】
好ましい実施形態によれば、前記溝構造は前記上層構造に位置する第２の網目の底面の周方向の周りに設けられ、前記溝構造は前記上層構造と前記下層構造の交点から間隔をあけて設けられる。
【００１３】
好ましい実施形態によれば、前記立体的な網目構造は第３の網目を含み、前記第３の網目は、上端と下端が開いた正八角柱構造、および前記正八角柱構造の左側面と前側面に位置し上端と下端が開いた正四角柱構造を有し、前記正八角柱構造と前記正四角柱構造は一体成形される。
【００１４】
好ましい実施形態によれば、前記溝構造は前記正八角柱構造のそれぞれの側面および前記正四角柱構造のそれぞれの側面上に設けられる。
【００１５】
上記の技術的解決策によれば、本考案のクッションは、少なくとも以下の技術的効果を有する。
【００１６】
本考案によって提供されるクッションは、クッション本体を含み、クッション本体は上層構造と下層構造からなる一体構造であり、上層構造と下層構造は、それぞれ上層構造と下層構造を貫通するための立体的な網目構造を有し、上層構造上に位置する立体的な網目構造と、下層構造上に位置する立体的な網目構造が交互に配置され、下層構造の上層構造への支持構造を形成する。本考案のクッションは、製作プロセスが簡単で、金型により一体成形することができる。そして、上下に貫通する立体的な網目構造により、クッション本体を上下方向に十分に通気し、熱を即時に放出でき、クッションの快適性を高める。
【００１７】
他方、本考案のクッションは、上層構造に位置する立体的な網目構造の底面の縁に溝構造が設けられ、溝構造によりクッション本体が水平方向に貫通し、上下方向に放熱効率が低い場合、溝構造により熱を水平方向に放出でき、このようにして、水平方向の通気性を実現し、クッションの通気性能を効果的に確保できる。
【図面の簡単な説明】
【００１８】
本考案の実施例または従来技術の技術的解決策をより明確に説明するために、以下、実施例または従来技術の説明で使用される図面を簡単に説明するが、明らかに、以下説明する図面は本考案のいくつかの実施例に過ぎず、当業者であれば、創造的な労働をせずにこれらの図面に基づいて他の図面を得ることができる。
【図１】本考案のクッションの好ましい実施例の底面構造概略図である。
【図２】図１に示すクッションの正面図である。
【図３】図１に示すクッションの断面図である。
【図４】図１に示すクッションの第１の網目の構造概略図である。
【図５】本考案のクッションの第１の網目の別の好ましい実施例の概略図である。
【図６−７】図１に示すクッションの好ましい実施例の応用例の正面および背面概略図である。
【図８】本考案のクッションの別の好ましい実施例の構造概略図である。
【図９】図８に示すクッションの底面図である。
【図１０】図９に示すクッションの下層構造の概略図である。
【図１１】図９に示すクッションの第２の網目の構造概略図である。
【図１２】本考案の別の好ましい実施例の構造概略図である。
【図１３】図１２に示すクッションの下層構造の概略図である。
【図１４】図１２に示すクッションの正面図である。
【図１５】図１３に示すクッションの第３の網目の構造概略図である。
【図１６】本考案のクッションの第３の形状のクッションの応用例概略図。
【考案を実施するための形態】
【００１９】
本考案の目的、技術的解決策および利点をより明らかにするために、以下に本考案の技術的解決策を詳細に説明する。明らかに、説明される実施例は本考案の実施例の一部に過ぎず、すべての実施例ではない。本考案の実施例に基づいて、当業者が創造的な労働をせずに得られたすべての実施形態は、本考案の保護範囲に含まれる。
【００２０】
以下、明細書の図１〜１２を参照して本考案の技術的解決策を詳細に説明する。
【００２１】
本考案によって提供されるクッションは、クッション本体を含み、クッション本体は上層構造１０１および下層構造１０２からなる一体構造であり、本考案のクッション本体は金型により一体成形することができ、製作が簡単である。ただし、上層構造１０１および下層構造１０２は、それぞれ上層構造１０１と下層構造１０２を貫通するための立体的な網目構造を有する。好ましくは、上層構造１０１および下層構造１０２上の立体的な網目構造の構造は一致する。好ましくは、上層構造１０１上に位置する立体的な網目構造と、下層構造１０２上に位置する立体的な網目構造が交互に配置され、下層構造１０２の上層構造１０１への支持を形成する。下層構造の立体的な網目構造と上層構造の立体的な網目構造が交互に配置され、下層構造が上層構造を支持することで、クッション本体の立体的な支持を高める。同時に上層構造および下層構造の立体的な網目構造が上下に貫通するので、上下方向の通気性が向上し、即時に熱を放出でき、クッションの快適性を高める。
【００２２】
好ましくは、立体的な網目構造の上端および下端はそれぞれ開放される。好ましくは、上層構造１０１に位置する立体的な網目構造の下端に溝構造１０３が設けられる。好ましくは、溝構造１０３は上層構造１０１の立体的な網目構造の底面の縁の周りに設けられ、且つ溝構造１０３は、上層構造１０１と下層構造１０２の交点から間隔をあけて設けられ、溝構造のクッション本体の支持強度に対する影響を回避する。溝構造の設計により、クッション本体の水平方向の通気性を実現し、上下方向に熱の排出が不十分な場合、溝構造により水平方向に熱を放出できる。好ましくは、溝構造１０３は「Ｖ」字形または半円弧形状であり、且つ溝構造１０３の開放端は下層構造１０２に向かって設けられる。好ましくは、溝構造１０３の深さは３〜５ｍｍであり、溝構造１０３の最大幅は３〜５ｍｍである。
【００２３】
実施例１
本実施例１は、好ましいクッションの実施例を提供する。図１〜図７に示すように、本実施例のクッションは、上層構造１０１および下層構造１０２からなる一体構造である。ただし、上層構造１０１および下層構造１０２は、それぞれ第１の網目１０４を含む。即ち、上層構造１０１および下層構造１０２は第１の網目１０４で形成される。好ましくは、上層構造１０１に位置する第１の網目１０４、および下層構造１０２に位置する第１の網目１０４は交互に配置されて第１の形状のクッション１０を形成する。
【００２４】
好ましくは、図４に示すように、第１の網目１０４は上端と下端が開いた正六角柱構造である。該形状のクッションは側壁の相互引張および曲げにより圧力を分散し、皮膚に接触し大きな圧力を受けるのを回避する。好ましくは、上層構造１０１上に位置する第１の網目１０４のそれぞれの側面上に溝構造１０３が設けられる。好ましくは、溝構造１０３は「Ｖ」字形であり、且つ溝構造１０３の開放端は下方に向かう。溝構造１０３は正六角柱構造のそれぞれの側面の底部の中央位置に設けられる。好ましくは、溝構造１０３の深さは３ｍｍであり、最大幅は３ｍｍである。それによって、クッションの水平方向の通気性を高める。
【００２５】
好ましくは、図１および図５に示すように、第１の網目１０４を有するクッションは四角形または円形構造である。好ましくは、図６および図７に示すように、本実施例のクッションは枕クッションとして応用でき、第１の形状のクッション１０の外側に枕カバー１４を付けて、枕クッションとして使用することができ、枕カバー１４の上面は、第１の網目１０４のサイスよりも小さい網目を有し、それによって枕クッションの通気性が良好である。
【００２６】
実施例２
図８〜図１１に示すように、実施例１とは異なり、本実施例では、立体的な網目構造は第２の網目１１１である。図１０に示すように、第２の網目１１１は、上端と下端が開いた円筒型構造が互いに交差して形成された構造である。好ましくは、図８および図９に示すように、上層構造１０１に位置する第２の網目１１１、および下層構造１０２に位置する第２の網目１１１は交互に配置されて第２の形状のクッション１１を形成する。好ましくは、溝構造１０３が上層構造１０１に位置する第２の網目１１１の底面の周方向の周りに設けられ、且つ溝構造１０３は、上層構造１０１と下層構造１０２の交点から間隔をあけて設けられる。クッションの強度に対する悪影響を回避する。好ましくは、溝構造１０３は「Ｖ」字形であり、且つ溝構造１０３の開放端は下方に向かう。好ましくは、溝構造１０３の深さは４ｍｍであり、最大幅は４ｍｍである。
【００２７】
実施例３
図１２〜図１６に示すように、実施例１および実施例２とは異なり、本実施例では、立体的な網目構造は第３の網目１２１である。図１３に示すように、第３の網目１２１は、上端と下端が開いた正八角柱構造１２１１、および正八角柱構造１２１１の左側面および前側面に位置し上端と下端が開いた正四角柱構造１２１２を有する。好ましくは、正八角柱構造１２１１と正四角柱構造１２１２は一体成形される。好ましくは、上層構造１０１に位置する第３の網目１２１、および下層構造１０２に位置する第３の網目１２１は交互に配置されて第３の形状のクッション１２を形成する。好ましくは、溝構造１０３は、正八角柱構造１２１１のそれぞれの側面、および正四角柱構造１２１２のそれぞれの側面上に設けられる。好ましくは、溝構造１０３は「Ｖ」字形であり、且つ溝構造１０３の開放端は下方に向かう。好ましくは、溝構造１０３の深さは５ｍｍであり、最大幅は５ｍｍである。
【００２８】
好ましくは、本考案の第３の形状のクッション１２は、ポリウレタンスポンジ枕１３に置いて使用でき、図１６に示すように、ポリウレタンスポンジ枕１３上に、第３の形状のクッション１２に対応する溝が設けられ、第３の形状のクッション１２をポリウレタンスポンジ枕１３上に置くと、第３の形状のクッション１２の上面とポリウレタンスポンジ枕１３の上面は面一である。
【００２９】
本考案のクッションは、ゲルで一体成形することができ、使用する場合、クッションの上下方向および水平方向に通気性を有し、熱を即時に放出できるので、クッションの使用快適性を高める。
【００３０】
以上は本考案の具体的な実施形態に過ぎず、本考案の保護範囲はこれに限定されず、本考案によって開示された技術範囲内で当業者が容易に想到した変更や置換は、すべて本考案の保護範囲に含まれるべきである。したがって、本考案の保護範囲は実用新案登録請求の範囲によって示される。
【符号の説明】
【００３１】
１０        第１の形状のクッション
１１        第２の形状のクッション
１２        第３の形状のクッション
１３        ポリウレタンスポンジ枕
１４        枕カバー
１０１      上層構造
１０２      下層構造
１０３      溝構造
１０４      第１の網目
１１１      第２の網目
１２１      第３の網目
１２１１    正八角柱構造
１２１２    正四角柱構造
【図１】
0003228681.tif 000003
【図２】
0003228681.tif 000004
【図３】
0003228681.tif 000005
【図４】
0003228681.tif 000006
【図５】
0003228681.tif 000007
【図６】
0003228681.tif 000008
【図７】
0003228681.tif 000009
【図８】
0003228681.tif 000010
【図９】
0003228681.tif 000011
【図１０】
0003228681.tif 000012
【図１１】
0003228681.tif 000013
【図１２】
0003228681.tif 000014
【図１３】
0003228681.tif 000015
【図１４】
0003228681.tif 000016
【図１５】
0003228681.tif 000017
【図１６】
0003228681.tif 000018